(57)【要約】【課題】複数の冷却ファンを並設する場合に、その電気的接続を容易に行うことができる電子機器用冷却ファン及び冷却ファン接続構造を提供する。【解決手段】電子機器に装着する電子機器用ファンであって、ファン２を収容するケーシング３の相対向する側面の一方６ｂに、給電用ソケット１１を配設し、他方に給電用ソケット１１に電気的に接続される給電用プラグ１２を配設した。【選択図】図１
2010205972.tif 000002
【特許請求の範囲】
【請求項１】
電子機器に装着する電子機器用ファンであって、
ファンを収容するケーシングの相対向する側面の一方に、給電用プラグを少なくともプラグ部を前記側面から突出させて配設し、他方に前記給電用プラグに電気的に接続される給電用ソケットを配設したことを特徴とする電子機器用冷却ファン。
【請求項２】
ファンを収容するケーシングの相対向する側面の一方に、給電用プラグが配設され、他方に前記給電用プラグに電気的に接続された給電用ソケットが配設された構成を有する冷却ファンを、複数個自己の前記給電用プラグを隣接する冷却ファンの前記給電用ソケットに接続して並列配置し、初段となる冷却ファンの接続相手のない前記給電用プラグ及び前記給電用ソケットの一方に、外部接続用配線に形成した給電用ソケット及び給電用プラグの何れか一方を接続したことを特徴とする電子機器用冷却ファンの接続構造。
【請求項３】
前記複数の冷却ファンは、相対向する側面を連結する取付側面を前記冷却ファンの連結数に応じた長さを有する取付板に固定したことを特徴とする請求項２に記載の電子機器用冷却ファンの接続構造。
【発明の詳細な説明】
【技術分野】
【０００１】
本発明は、電子機器に装着する電子機器用冷却ファンに関する。
【背景技術】
【０００２】
この種の電子機器用冷却ファンとしては、例えば電子機器に備える第１冷却ファンと第２の冷却ファンとを共通の冷却ファン取付台に取付け、この冷却ファン取付台には、前記第１の冷却ファンの大きさや数量が異なっても、また、第２の冷却ファンの大きさや数量が異なっても対応できる構造の第１冷却ファンの取付け脚と、第２冷却ファン取付け脚とを備え、第１冷却ファン取付け脚と第２冷却ファン取付け脚には、それぞれ第１冷却ファン取付けねじ用六角ナットに適合した寸法の第１冷却ファン取付け用ナット挿入口と第２冷却ファン取付けねじよう六角ナットに適合した寸法の第２冷却ファン取付け用ナットと挿入口を、台数に対応して取付けできる位置に設けた電子装置が知られている（例えば、特許文献１参照）。
【先行技術文献】
【特許文献】
【０００３】
【特許文献１】特開平１１−３４６０７８号公報
【発明の概要】
【発明が解決しようとする課題】
【０００４】
上記特許文献１に記載された従来例にあっては、複数の第１冷却ファン及び第２冷却ファンが共通の冷却ファン取付け台に取付可能に構成され、冷却ファン取付台を取り外すことにより、全ての冷却ファンを一体に取り外すことができる利点を有するものであるが、この共通の冷却ファン取付け台に装着される第１冷却ファン及び第２冷却ファンの給電経路については端子台が存在するものの、この端子台と各冷却ファンとの接続については何ら記載されていない。通常は、図４に示すように、冷却ファン１００に端部に外部接続プラグ１０１を有する外部接続線１０２が導出されており、複数の冷却ファン１００Ａ〜１００Ｄを連結するには、各冷却ファン１００Ａ〜１００Ｄの上面に取付板１０３を載置して、この取付板１０３に冷却ファン１００Ａ〜１００Ｄをねじ止めするとともに、取付板１０３の透孔１０４から個々の冷却ファン１００Ａ〜１００Ｄの外部接続線１０２を上方に導出し、これら外部接続線１０２を外部電源に接続するのが一般的である。
【０００５】
しかしながら、図５に示すように、取付板１０３に複数の冷却ファン１００Ａ〜１００Ｄを取付け、各々の外部接続線１０２を上方側に導出する場合には、電子機器の筐体内に装着した場合、各冷却ファン１００Ａ〜１００Ｄの外部接続線１０２を筐体内に通す必要があり、複数の冷却ファンの配線処理を行うのに時間を費やしたり、寿命等で冷却ファンの交換時に配線を外す際にも同様に多大の時間を費やしたりしているという未解決の課題がある。
【０００６】
そこで、本発明は、上記従来例の未解決の課題に着目してなされたものであり、複数の冷却ファンを並設する場合に、その電気的接続を容易に行うことができる電子機器用冷却ファン及び冷却ファン接続構造を提供することを目的としている。
【課題を解決するための手段】
【０００７】
上記目的を達成するために、請求項１に係る冷却ファンは、電子機器に装着する電子機器用ファンであって、ファンを収容するケーシングの相対向する側面の一方に、給電用プラグを少なくともプラグ部を前記側面から突出させて配設し、他方に前記給電用プラグに電気的に接続される給電用ソケットを配設したことを特徴としている。
この構成によると、ファンを収容するケーシングの相対向する側面の一方に、給電用ソケットを配設し、他方に給電用ソケットに電気的に接続される給電用プラグを配設したので、複数の冷却ファンを並設させたときに、隣接する冷却ファンで、給電用プラグと給電用ソケットとが対向することになり、両者を接続することにより、外部に配線を這わすことなく複数の冷却ファンを電気的に接続することができる。
【０００８】
また、請求項２に係る冷却ファンの接続構造は、ファンを収容するケーシングの相対向する側面の一方に、給電用プラグが配設され、他方に前記給電用プラグに電気的に接続された給電用ソケットが配設された構成を有する冷却ファンを、複数個自己の前記給電用プラグを隣接する冷却ファンの前記給電用ソケットに接続して並列配置し、初段となる冷却ファンの接続相手のない前記給電用プラグ及び前記給電用ソケットの一方に、外部接続用配線に形成した給電用ソケット及び給電用プラグの何れか一方を接続したことを特徴としている。
【０００９】
この構成によると、所望数の冷却ファンを隣接させることにより、給電用ソケット及び給電用プラグを接続することにより、給電路を確保することができ、最終段のとなる冷却ファンの接続相手のない給電用ソケット又は給電用プラグに、外部接続用配線に形成した給電用プラグ又は給電用ソケットを接続するので、外部接続用配線を外部の給電機器に接続するだけで、複数の冷却ファンへの給電を容易に行うことができる。
【００１０】
また、請求項３に係る電子機器用冷却ファンの接続構造は、請求項１に係る発明において、前記複数の冷却ファンは、相対向する側面を連結する取付側面を前記冷却ファンの連結数に応じた長さを有する取付板に固定したことを特徴としている。
この構成によると、取付板に複数の冷却ファンの上面又は下面を取付けることにより、各冷却ファンを一体化することができる。
【発明の効果】
【００１１】
本発明によれば、冷却ファンのケーシングに、他の冷却ファンを隣接させたときに相対向する位置に給電用ソケットと給電用プラグを配設したので、冷却ファン同士を隣接させることにより、給電用ソケットと給電用プラグとを接続して、給電路を外部に露出させることなく接続することができ、冷却ファンの電気的接続を容易に行うことができるという効果が得られる。
【図面の簡単な説明】
【００１２】
【図１】本発明の冷却ファンを示す斜視図であって、（ａ）は右側面側から見た斜視図、（ｂ）は左側面側から見た斜視図である。
【図２】本発明の冷却ファンの接続方法の説明に供する斜視図であって、（ａ）は接続前の状態を示す斜視図、（ｂ）は接続状態を示す斜視図である。
【図３】図２（ｂ）の冷却ファンを取付板に装着した状態を、終端処理状態を拡大して示す斜視図である。
【図４】従来の冷却ファンを示す斜視図である。
【図５】従来の冷却ファンを接続した状態を示す斜視図である。
【発明を実施するための形態】
【００１３】
以下、本発明の実施の形態を図面に基づいて説明する。
図１は本発明の一実施形態を示す冷却ファンを示す斜視図であって、図中、１は電子機器としての例えばインバータに組込んで、発熱部品となるＩＧＢＴ等の半導体スイッチング素子を冷却する電子機器用の冷却ファンである。この冷却ファン１は、ファン２を内装した例えば合成樹脂材を射出成型して形成されたケーシング３を有する。このケーシング３は、方形の前後板部４及び５と、これら前後板部４及び５間に配設された八角形状の胴部６とが一体に形成されて構成され、前後板部４及び５と胴部６とに軸方向に延長する比較的大径の挿通孔７が形成され、この挿通孔７内にファン２が収容されている。そして、前板部４には、ファン２の前端を覆う保護覆い８が固定されている。
【００１４】
また、胴部６には、上側面６ａと左右側面６ｂ及び６ｃとの間に形成された傾斜面６ｄ及び６ｅに、三相交流電力が供給される給電用ソケット１１及び給電用プラグ１２が形成されている。この給電用ソケット１１は、傾斜面６ｄに水平方向に突出して形成され、その前端面が前後板部４及び５の端面と面一となるように配置されている。この給電用ソケット１１には、隣接する冷却ファンの給電用プラグ１２のプラグ部１２ａが挿通されるジャック部１１ａが形成されている。
【００１５】
また、給電用プラグ１２は、傾斜面６ｅに前述した給電用ソケット１１と同一高さ位置に水平方向に突出して形成され、そのプラグ部１２ａが右端面６ｃより右方に突出されて、隣接する冷却ファンが存在する場合にその給電用ソケット１１のジャック部１１ａに挿通される。
ここで、給電用ソケット１１のジャック部１１ａと給電用プラグ１２のプラグ部１２ａとは互いに胴部６内で電気的に直列に接続されているとともに、ファン２を駆動するモータ（図示せず）に電気的に並列に接続されている。
【００１６】
次に、上記実施形態の動作を図２に伴って説明する。
今、２つの冷却ファン１Ａ及び１Ｂを接合するには、図２（ａ）に示すように、一方の冷却ファン１Ａの給電用プラグ１２と他方の冷却ファン１Ｂの給電用ソケット１１とを対向させるように配置し、この状態で、冷却ファン１Ｂの給電用ソケット１１のジャック部１１ａに冷却ファン１Ａの給電用プラグ１２のプラグ部１２ａを挿通することにより、冷却ファン１Ａの前後板部４及び５の右側面と冷却ファン１Ｂの前後板部４及び５の左側面６ｂとが接触して図２（ｂ）に示すように一体化し、さらに冷却ファン１Ｃ及び１Ｄを同様に連結することにより、４つの冷却ファン１Ａ〜１Ｄを一体化させることができる。このとき、各冷却ファン１Ａ〜１Ｄ間では給電用ソケット１１に給電用プラグ１２が挿通されて電気的に接続され、各冷却ファン１Ａ〜１Ｃで外部の配線処理を行う必要がない。
【００１７】
そして、図２（ｂ）に示すように４つの冷却ファン１Ａ〜１Ｄを連結した状態で、図３に示すように、各冷却ファン１Ａ〜１Ｄの胴部６の上面６ａ上に、４個の冷却ファン１Ａ〜１Ｄを覆う長さの例えば金属製の取付板２０を載置し、この取付板２０と、各冷却ファン１Ａ〜１Ｄとをねじ止めすることにより、４つの冷却ファン１Ａ〜１Ｄを強固に連結することができる。そして、初段側の冷却ファン１Ｄの給電用ソケット１１を外部接続配線２１に装着した給電用プラグ２２に接続し、この外部接続配線２１を取付板２０に形成した透孔２３を通じて上部に引出し、その先端に給電用プラグ２４を装着し、この給電用プラグ２４を外部の電源系統（図示せず）に接続することにより、各冷却ファン１Ａ〜１Ｄに三相電力を給電することができる。
【００１８】
このように、上記実施形態によれば、冷却ファン１の左右の対向位置に給電用ソケット１１及び給電用プラグ１２を装着することにより、冷却ファン１同士を接続する場合には、一方の右側面に他方の左側面を接触させると同時に一方の給電用ソケット１１に他方の給電用プラグ１２を挿通するだけで、ここの冷却ファンで複雑な配線処理を行うことなく、冷却ファン１同士を電気的に容易に接続することができる。
【００１９】
そして、このように所望数の冷却ファン１を接続した状態で、初段の冷却ファンの給電用プラグ又は給電用ソケットに、給電用ソケット又は給電用プラグを一端に装着した外部接続配線２１を接続し、この外部接続配線２１の他端を外部の電源系統に接続することにより、連結した全て冷却ファンに対して交流電力を供給することができる。
そして、所望数の冷却ファン１を接続した状態で、これらを取付板２０にねじ止めすることにより、強固に連結することができ、給電用ソケット１１と給電用プラグ１２との接続状態が切り離されることを確実に防止することができる。
【００２０】
しかも、冷却ファンの交換やメンテナンスを行う場合には、取付板２０を取り外すことにより、複数の冷却ファンを同時に取り外すことができ、この状態で、個々の冷却ファンを取付板２０から分離することにより、個々の冷却ファンの交換やメンテナンスを行うとこができる。
なお、上記実施形態では、冷却ファン１Ａを初段とした場合について説明したが、これに限定されるものではなく、反対側の冷却ファン１Ｄを初段とした場合には、この冷却ファン１Ｄの給電用プラグ１２に、外部接続配線２１の給電用ソケットを接続するようにすればよい。
【００２１】
また、上記実施形態においては、冷却ファン１の上面側に給電用ソケット１１及び給電用プラグ１２を形成した場合について説明したが、これに限定されるものではなく、冷却ファン１の下面側に給電用ソケット１１及び給電用プラグ１２を形成するようにしてもよく、上下方向の中央部に形成するようにしてもよい。また、取付板２０も冷却ファン１の上面側に取付ける場合に限らず、冷却ファン１の下面側に取付けるようにしてもよい。
【符号の説明】
【００２２】
１…冷却ファン、２…ファン、３…ケーシング、４…前板部、５…後板部、６…胴部、７…挿通孔、８…保護覆い、１１…給電用ソケット、１１ａ…ジャック部、１２…給電用プラグ、１２ａ…プラグ部、２０…取付板、２１…外部接続線、２２…給電用ソケット、２３…透孔、２４…給電用プラグ
【図１】
2010205972.tif 000003
【図２】
2010205972.tif 000004
【図３】
2010205972.tif 000005
【図４】
2010205972.tif 000006
【図５】
2010205972.tif 000007